(57)【要約】      （修正有）【課題】楽器を容易に携帯することができると共に、楽器の重量が演奏者の身体の一部分に集中することを防止し、演奏者がリラックスした状態で楽器を演奏することができる楽器支持具を提供する。【解決手段】楽器支持具１００は、演奏者の背中と肩にそれぞれ密着するように、金属製のフレームと、前記フレームを包み込む外被をそれぞれ有する第１および第２のパッド１０、２０と、第１および第２のパッド１０、２０の後端部にそれぞれ連結され、演奏者の上体の背面に沿って配置される後方連結紐７０と、第１および第２のパッド１０、２０の前端部にそれぞれ連結され、演奏者の上体前面に沿って配置される前方連結紐３０と、および前方連結紐３０に結束されて楽器を着脱可能な固定具４０を含む。【選択図】図１
0003203539.tif 000002
【実用新案登録請求の範囲】
【請求項１】
着用者の背中と肩にそれぞれ密着され、フレームと前記フレームを包み込む外被をそれぞれ備える第１および第２のパッドと、
前記第１および第２のパッドの後端部にそれぞれ連結され、前記着用者の上体の後面に沿って配置される後方連結紐と、
前記第１および第２のパッドの前端部にそれぞれ連結され、前記着用者の上体の前面に沿って配置される前方連結紐と、および
前記前方連結紐に結束されて楽器を着脱可能な固定具を含むが、
前記第１および第２のパッドは、
前記第１および第２のパッドの中央部に互いに対向するように内側に向かってそれぞれ突出形成されており、肉厚方向に沿って貫通形成された複数の第１および第２の調節孔をそれぞれ有する第１および第２の翼部と、および
前記第１および第２のパッドの後端部に貫通形成された第１および第２の後方貫通孔を有し、
前記後方連結紐は、前記第１および第２の調節孔と前記第１および第２の後方貫通孔を貫通して第１および第２のパッドの後端部にそれぞれ連結される、楽器支持具。
【請求項２】
前記第１および第２のパッドの前段部と後段部は、それぞれ丸状を有する請求項１に記載の楽器支持具。
【請求項３】
前記楽器支持具は、後方固定スリットと第１および第２の後方調節スリット、そして第１および第２の後方支持スリットを有する後方位置調節具をさらに含むが、
前記後方連結紐は、
前記第１および第２の後方調節スリットを順番に貫通して固定される後方中間部と、
前記第１の調節孔と前記第１の後方支持スリットおよび前記第１の後方調節スリット、前記後方固定スリット、そして前記第１の後方貫通孔を順次貫通して第１のパッドの後端部にそれぞれ連結される第１の後方連結紐と、および
前記第２の調節孔と前記第２の後方支持スリットおよび前記第２の後方調節スリット、前記後方固定スリット、そして前記第２の後方貫通孔を順次貫通して第２のパッドの後端部にそれぞれ連結される第２の後方連結紐を備える請求項１に記載の楽器支持具。
【請求項４】
前記第１および第２のパッドは、前記第１および第２のパッドの前端部に貫通形成された第１および第２の前方貫通孔を有し、
前記楽器支持具は第１および第２の前方固定スリット、第１および第２の前方調節スリット、そして第１および第２の前方支持スリットを有する前方位置調節具をさらに含むが、
前記前方連結紐は、
前記第１および第２の前方固定スリットを順次貫通して固定される前方中間部と、
前記第１の前方貫通孔と第１の前方支持スリット、第１の前方調節スリット、そして前記固定具のリングを順次貫通して前記第１のパッドの前端部に連結される第１の前方連結紐と、および
前記第２の前方貫通孔と第２の前方支持スリット、第２の前方調節スリット、そして前記固定具のリングを順次貫通して前記第２のパッドの前端部に連結される第２の前方連結紐を備える請求項１または請求項３に記載の楽器支持具。
【請求項５】
前記第１および第２のパッドは、前記第１および第２のパッドの前端部に貫通形成された第１および第２の前方貫通孔を有し、
前記楽器支持具は、
第１および第２の前方固定スリット、第１および第２の前方調節スリット、そして第１および第２の前方支持スリットを有する前方位置調整具と、
第１および第２の前方補助スリットと第１および第２の後方補助スリットを有する補助位置調整具と、および
前記前方連結紐と前記後方連結紐を連結する補助連結紐をさらに含むが、
前記前方連結紐は、
前記第１および第２の前方固定スリットを順次貫通して固定される前方中間部と、
前記第１の前方貫通孔と第１の前方支持スリット、第１の前方調節スリット、そして前記固定具リングを順次貫通して前記第１のパッドの前端部に連結される第１の前方連結紐と、および
前記第２の前方貫通孔と第２の前方支持スリット、第２の前方調節スリット、そして前記固定具リングを順次貫通して前記第２のパッドの前端部に連結される第２の前方連結紐を備え、
前記補助連結紐は、
前記第１の前方補助スリットおよび前記第１の後方補助スリットを貫通して前記第１の後方連結紐と、前記第１の前方連結紐を連結する第１の補助連結紐と、および
前記第２の前方補助スリットおよび前記第２の後方補助スリットを貫通して前記第２の後方連結紐と前記第２の前方連結紐を連結する第２の補助連結紐をさらに含む、請求項３に記載の楽器支持具。
【考案の詳細な説明】
【技術分野】
【０００１】
本考案は、楽器支持具に関するもので、より詳細には、楽器の重荷重を肩と背中を通して効果的に分散させて快適な着用感を提供することができる楽器支持具に関する。
【背景技術】
【０００２】
一般にサックスは、一つのリードがつけられている吹き口を使用する管楽器であって、胴体は、通常、真鍮で形成され、胴体の前面には、高音と低音の音色が発せられるよう演奏者が指で押す運指キーが多数個構成されている。また、胴体の先端には、演奏者が口にくわえて、息を胴体内部に吹き込むリードとリガチャーで構成されるマウスピースを含む。
【０００３】
このようなサックスを演奏するために使用者は別途の紐を使用することになるところ、サックスをリングに連結して、演奏者の首にかけて支持することができるサックスネック紐が使用されている。
【０００４】
しかし、このようなサックスネック紐は、演奏者の首が重いサックスの荷重に耐えなければならないため、演奏する間、首に強い圧迫が作用し、首の痛みが誘発され、ひどい場合には、首ディスクのような病気を引き起こすという問題点が発生する。
【先行技術文献】
【特許文献】
【０００５】
【特許文献１】韓国登録実用新案第２０−０４６９４５９号公報  ２０１３年１０月１７日
【考案の概要】
【考案が解決しようとする課題】
【０００６】
本考案の目的は、楽器を容易に携帯することができる楽器支持具を提供することにある。
【０００７】
本考案のもう一つの目的は、楽器の重量が演奏者の身体の一部分に集中することを防止し、演奏者がリラックスした状態で楽器を演奏することができる楽器支持具を提供することにある。
【０００８】
本考案のもう一つの目的は、次の詳細な説明と図面からより明確になる。
【課題を解決するための手段】
【０００９】
本考案の一実施例によれば、楽器支持具は、演奏者の背中と肩にそれぞれ密着するように、金属製のフレームと、前記フレームを包み込む外被をそれぞれ具備する第１および第２のパッドと、前記第１および第２のパッドの後端部にそれぞれ連結され、前記着用者の上体の背面に沿って配置される後方連結紐と、前記第１および第２のパッドの前端部にそれぞれ連結され、前記着用者の上体の前面に沿って配置される前方連結紐、および前記連結紐に結束されて楽器を着脱可能な固定具を含む。
【００１０】
前記第１および第２のパッドの前段部と後段部は、それぞれ丸状を有することができる。
【００１１】
前記第１および第２のパッドは、前記第１および第２のパッドの中央部に互いに対向するように内側に向かってそれぞれ突出形成されており、肉厚方向に沿って貫通形成された第１および第２の調節孔を有する第１および第２の翼部と、前記第１および第２のパッドの後端部に貫通形成された第１および第２の後方貫通孔を有し、前記楽器支持具は後方固定スリットと第１および第２の後方調節スリット、また第１および第２の後方支持スリットを有する後方位置調節具をさらに含み、前記後方連結紐は、前記第１および第２の後方調節スリットを順番に貫通して固定される後方中間部と、前記第１の調節孔と前記第１の後方支持スリットおよび前記第１の後方調節スリット、前記後方固定スリット、また、前記第１の後方貫通孔を順次に貫通して第１のパッドの後端部にそれぞれ連結される第１の後方連結紐と、前記第２の調節孔と前記第２の後方支持スリットおよび前記第２の後方調節スリット、前記後方固定スリット、また、前記第２の後方貫通孔を順次に貫通して第２のパッドの後端部にそれぞれ連結される第２の後方連結紐を備えることができる。
【００１２】
前記第１および第２のパッドは、前記第１および第２のパッドの前端部に貫通形成された第１および第２の前方貫通孔を有し、前記楽器支持具は第１および第２の前方固定スリット、第１および第２の前方調節スリット、また、第１および第２の前方支持スリットを有する前方位置調節具をさらに含み、前記前方連結紐は、前記第１および第２の前方固定スリットを順番に貫通して固定されている前方の中間部と、前記第１の前方貫通孔と第１の前方支持スリット、第１の前方調節スリット、また、前記固定具のリングを順次貫通して前記第１のパッドの前端部に連結される第１の前方連結紐と、前記第２の前方貫通孔と第２の前方支持スリット、第２の前方調節スリット、また、前記固定具のリングを順次貫通して前記第２のパッドの前端部に連結される第２の前方連結紐を備えることができる。
【００１３】
前記楽器支持具第１および第２の前方補助スリットと第１および第２の後方補助スリットを有する補助位置調節具と、前記第１の後方連結紐と、前記第１の前方連結紐、また、前記第２の後方連結紐と前記第２の前方連結紐をそれぞれ連結する補助連結紐をさらに含むことができる。
【考案の効果】
【００１４】
本考案の一実施例によれば、楽器を容易に携帯することができる。特に、楽器の重量が着用者の身体の一部分に集中することを防止し、着用者がリラックスした状態で楽器を演奏することができる。
【図面の簡単な説明】
【００１５】
【図１】本考案の一実施例に係る楽器支持具を概略的に示す図である。
【図２】図１に示すＡの断面図である。
【図３】図１の正面図である。
【図４】図３の背面図である。
【図５】図１に示す翼部の拡大図である。
【図６】図３に前方連結紐を拡大した図である。
【図７】図６に示すねじれ防止金具を示す斜視図である。
【図８】図４に示す後方連結紐を拡大した図である。
【図９】図１に示す楽器支持具に着用可能な補助連結紐を示す図である。
【図１０】本考案の一実施例に係る楽器支持具を着用した姿を示す図である。
【図１１】本考案の一実施例に係る楽器支持具を着用した姿を示す図である。
【考案を実施するための形態】
【００１６】
本考案の理解を助けるために以下、本考案の実施例は、添付された図１〜図１１を参照し、さらに詳細に説明する。以下、説明される実施例は、本考案の技術的な特徴を理解するのに最適な実施例をもとにして説明されるものであり、説明されている実施例によって本考案の技術的な特徴が制限されるものではなく、以下に説明する実施例のように、本考案が具現され得ることがあることを例示する。
【００１７】
したがって、本考案は、以下に説明する実施例を通して本考案の技術範囲内で様々な変形実施が可能であり、これらの変形実施例は、本考案の技術範囲内に属するものといえる。また、以下に説明する実施例の理解を助けるために添付された図面に記載された符号において、各実施例では、同じ作用をするようになる構成要素のうち、関連する構成要素は、同一または延長線上の数字で表記した。
【００１８】
管楽器を演奏する、着用者（または演奏者）は、直接手で楽器を把持したり、首の一部分を覆う首帯と一側が首帯に結合され、他側が楽器に結合された連結紐で構成された紐または楽器支持用ネックレスを利用して、楽器の重量を首で支えて楽器を演奏するのが一般的である。
【００１９】
しかし、主に真鍮で製作された管楽器は、比較的重い楽器が多く、特にサックスにおいてアルト、テナー、バリトン、ベース、コントラバスなどの楽器は比較的重い楽器に属する。
【００２０】
前記した楽器は、製造時、選択される材質とメーカー別に多少の差はあるが、楽器の重量が少なくは２．８ｋｇから多くはほぼ１０ｋｇに達する。したがって、前記のような大型の楽器を楽器支持用ネックレスに支持して、長時間無理に演奏した場合、首の周りにかなりの疲労感や痛みを感じるようになる。
【００２１】
特に、体の部位の中で首に荷重が集中した場合、ディスクのような致命的な病気を引き起こす深刻な問題点があり、首に重圧感をひどく感じると安定した音程を維持する演奏を長時間することができなくなる。
【００２２】
また、美しい音と強烈な音を出すために楽器を揺らしたり、ねじらせながら演奏するのが難しく、甘く激動的な演奏を難しくする深刻な問題が存在する。前記した問題点により、管楽器の演奏者の間では、快適で安定した演奏を可能とする楽器支持具の技術提供への欲求が長い間続けられてきている。
【００２３】
図１は、本考案の一実施例に係る楽器支持具を概略的に示す図であり、図２は図１に示すＡの断面図である。また、図３は図１の正面図であり、図４は図３の背面図であり、図５は、図１に示す翼部の拡大図である。図１ないし図５に示すように、楽器支持具１００は、第１および第２のパッド１０、２０、第１および第２のパッド１０、２０の前端部にそれぞれ連結される前方連結紐３０と、第１および第２のパッド１０、２０の後端部にそれぞれ連結される後方連結紐７０、また前方連結紐３０に結束されて楽器の着脱可能な固定具４０を含む。
【００２４】
第１および第２のパッド１０、２０は、演奏者の左肩および右肩の上にそれぞれかけられ、後述するように、楽器の重量は、第１および第２のパッド１０、２０を通して演奏者の肩と背中に伝わる。また、第１および第２のパッド１０、２０は、演奏者の肩の幅方向に一定の幅を有し、楽器の重量は、第１および第２のパッド１０、２０の接触面に均等に分散されて伝わるため、演奏者が感じる楽器の重みは軽くなる。
【００２５】
以下では、説明の便宜上、第１のパッド１０を中心に説明するが、第２のパッド２０は、第１のパッド１０と対応する形状と構造を有し、違いは別途言及することにする。
【００２６】
第１のパッド１０は、それぞれ金属製の第１のフレーム１２と、第１のフレーム１２を包み込む第１の外被１４で構成される。たとえば、第１のフレーム１２は、軽量で耐久性が大きいアルミニウム（Ａｌｕｍｉｎｉｕｍ）素材とすることができる。演奏者が楽器支持具１００を着用した時に、第１のフレーム１２の後端は、肩甲骨（ｓｃａｐｕｌａ）に位置し、第１のフレーム１２の前端は、鎖骨（ｃｌａｖｉｃｌｅ）の下部に置かれる。
【００２７】
第１のフレーム１２は、比較的軟性が大きく、硬度が低いアルミ素材で構成されたことにより演奏者の肩を包み込むように環状に曲げ（ｂｅｎｄｉｎｇ）可能であることにより、演奏者の身体に容易に合わせることができる。
【００２８】
また、第１の外被１４は、天然（または人工皮革）、布、合成樹脂材など柔軟な材質で構成されて演奏者の肩および背中にそれぞれ密着されることができ、演奏者のソフトなフィット感を形成するように第１のフレーム１２と、第１の外被１４との間には、綿のようなクッション材が介在されることができる。
【００２９】
第１のパッド１０は、第１のパッド１０の肉厚方向に沿って貫通形成された第１の前方貫通孔１６と第１の後方貫通孔１８を有し、第１の前方貫通孔１６と第１の後方貫通孔１８は、第１の外被１４と、第１のフレーム１２をそれぞれ貫通するように形成することができる。したがって、主に真鍮で製作されている比較的重い楽器（管楽器）の荷重が第１のパッド１０の前端部と後端部に集中して、第１の外被１４が破損しても楽器は、第１のフレーム１２によって容易に支持される。
【００３０】
また、第１の外被１４は、中央部内側に突出する第１の翼部１５をさらに備えることができ、第１の翼部１５は、第１の翼部１５の肉厚方向に沿って貫通形成されている第１の調節孔１７が形成される。第１の調節孔１７は、第１のパッド１０の長手方向に沿って所定の間隔離隔して複数で形成することができる。
【００３１】
一方、第２の外被２４は、第２の翼部２５をさらに具備するが、第２の翼部２５は、第１の翼部１５に向かって突出して形成される。第２の翼部２５は、第２の翼部２５の肉厚方向に沿って貫通形成されている第２の調節孔２７が形成され、第２の調節孔２７は、第２のパッド２０の長手方向に沿って所定の間隔で離隔されて配置される。
【００３２】
第１の外被１４の前端部と後端部のそれぞれ丸状を有することができ、後述する第１および第２のパッド１０、２０の前端部にそれぞれ連結される第１および第２の前方リング９０ａ、９０ｂと、第１および第２のパッド１０、２０の後端部にそれぞれ連結される第１および第２の後方リング９５ａ、９５ｂの円滑な回転が可能である。そればかりでなく、第１および第２の翼部１５、２５の前端部と後端部はまた、それぞれ丸状を有することにより、後述する第１および第２の調整リング９３ａ、９３ｂは、容易に回転することができる。
【００３３】
図６は、図３に示す前方連結紐を拡大した図であり、図７は、図６に示すねじれ防止金具を示す斜視図である。図６および図７に示すように、楽器支持具１００は、楽器を着脱可能な固定具４０を備える。前方位置調節具５０は、下部から第１および第２の前方固定スリット５１、５２と、第１および第２の前方調節スリット５３ａ、５３ｂ、また第１および第２の前方支持スリット５４ａ、５４ｂを備える。前記複数のスリットの５５は、前方位置調節具５０の肉厚方向を貫通して形成される。
【００３４】
ねじれ防止金具６０は、前方位置調節具５０と固定具４０との間に位置し、前方連結紐３０が貫通する複数の貫通孔６５を有する。第１および第２の前方連結紐３１、３９は、貫通孔６５を、上−下と下−上方向に貫通し、ねじれ防止金具６０は、第１および第２の連結紐３１、３９が互いにねじれもつれるのを防止することができる。
【００３５】
前方連結紐３０は、第１および第２の前方連結紐３１、３９と、第１および第２の前方連結紐３１、３９との間に連結される前方の中間部３５を備える。前方の中間部３５は、結び目を通して第１および第２の前方固定スリット５１、５２に固定され、前方の中間部３５に連結された第１および第２の前方連結紐３１、３９は、固定具４０に連結された固定具リング４１を貫通して固定具４０を前方連結紐３０に固定する。
【００３６】
第１の前方連結紐３１は、第１の前方支持スリット５４ａおよび第１の前方調節スリット５３ａに順次挿入され、ねじれ防止金具６０と固定具リング４１に挿入される。第２の連結紐３９は、第２の前方支持スリット５４ｂと第２の前方調節スリット５３ｂに順次挿入され、ねじれ防止金具６０と固定具リング４１に挿入される。第１の前方連結紐３１と第２の前方連結紐３９に連結される中間部３５は、結び目を通して第１および第２の前方固定スリット５１、５２に固定される。
【００３７】
これにより、第１および第２の前方連結紐３１、３９は、互いに重畳し、固定具４０の位置は、重畳した第１および第２の前方連結紐３１、３９の長さによって決定される。つまり、前方位置調節具５０が、第１および第２の前方連結紐３１、３９に沿って移動することにより、重畳した第１および第２の前方連結紐３１、３９の長さは増減し、重畳した第１および第２の前方連結紐３１、３９の長さが増加すると固定具４０は、第１および第２のパッド１０、２０に近接して、重畳した第１および第２の前方連結紐３１、３９の長さが減少すると固定具４０は、第１および第２のパッド１０、２０から遠ざかる。
【００３８】
楽器は遮蔽部材４４の開閉を通して固定具４０に結合可能であり、演奏者は、前方位置調節具５０を利用して、固定具４０の位置を調節することができる。つまり、前方位置調節具５０が、第１および第２の前方連結紐３１、３９に沿って移動することにより、重畳した第１および第２の前方連結紐３１、３９の長さは増減し、これをを通じて固定具４０の高さ（または楽器の高さ）を調節することができる。
【００３９】
楽器が固定具４０に結合されると、楽器の重量は、第１および第２の前方連結紐３１、３９を通して第１および第２のパッド１０、２０に伝達されるため、楽器の重量が身体の一部に集中することを防止することができる。
【００４０】
第１の前方連結紐３１は、第１の前方リング９０ａに固定されており、第２の連結紐３９は、第２の前方リング９０ｂに固定される。第１および第２の前方リング９０ａ、９０ｂは、互いに同一形状を有し、例えば、第１の前方リング９０ａは、第１の前方貫通孔１６に挿入されて固定される第１の上部前方リング９０ａ’および第１の上部前方リング９０ａ’の下端部に連結される第１の下部前方リング９０ａ”を備える。第１の下部前方リング９０ａ”は、長手方向に沿って貫通形成された支持孔９１ａが形成され、第１の前方連結紐３１は、支持孔９１ａに挿入され、第１の前方リング９０ａは、第１の前方連結紐３１に連結される。一方、第１の上部前方リング９０ａ’は、フック形状を有することができ、鉗子の構造、クリップ形状に置き換えることができる。
【００４１】
第１の下部前方リング９０ａ”は、第１の上部前方リング９０ａ’よりも大きな外径を有することができる。第１の前方連結紐３１は、第１の下部前方リング９０ａ”の支持孔９１ａの下部を通して挿入され、第１の下部前方リング９０ａ”の上端に支持されて支持孔９１ａの上部を通して再挿入固定された状態で前方位置調節具５０のスリット等にすることができる。
【００４２】
第２の前方リング９０ｂは、第１の前方リング９０ａと対応する形状を有し、第１の前方連結紐３１が第１の前方リング９０ａに連結される同じ形で、第２の連結        ３９は、第２の前方リング９０ｂに連結される構造を有する。第２の前方リング９０ｂは、第２のパッド２０に形成された第２の前方貫通孔２６に挿入され、固定具４０に結合された楽器は、第１および第２の前方リング９０ａ、９０ｂによって第１および第２のパッド１０、２０にそれぞれ連結されて演奏者の肩と背中を通して楽器の重量が分散される。
【００４３】
図８は、図４に示す後方連結紐を拡大した図である。図８に示すように、後方連結紐７０は、第１および第２の後方連結紐７１、７９と、第１および第２の後方連結紐７１、７９との間に連結される後方中間部７５を備えることができる。後方位置調節具８０は、後方固定スリット８１、第１および第２の後方調節スリット８２ａ、８２ｂ、第１および第２の後方支持スリット８４ａ、８４ｂを備える。
【００４４】
第１の後方連結紐７１は、第１の後方メインリング９５ａと第１の後方調節リング９３ａを通して第１のパッド１０に固定可能であり、第２の後方連結紐７９は、第２の後方メインリング９５ｂと第２の後方調節リング９３ｂを通して第２のパッド２０に固定可能である。
【００４５】
それぞれのリング等９０は、前述したように、第１の前方リング９０ａと同じ構造を有し、例えば、第１の後方メインリング９５ａは、第１の後方貫通孔１８にそれぞれ挿入されて固定可能な第１の上部後方メインリング９５ａ’および第１の上部後方メインリング９５ａ’の下端部に連結される第１の下部後方メインリング９５ａ”を備える。第１の下部後方メインリング９５ａ”は、長手方向に沿って貫通形成された支持孔９６ａが形成され、第１の後方連結紐７１は、支持孔９６ａに挿入され、第１の後方メインリング９５ａに連結される。
【００４６】
第１の後方連結紐７１は、第１の後方メインリング９５ａに備えられた支持孔９６ａに貫通して後方固定スリット８１と第１の後方調節スリット８２ａおよび第１の後方支持スリット８４ａ、そして第１の後方調節リング９３ａに備えられた支持孔９４ａに順次挿入する。第２の後方連結紐７９は、第２の後方メインリング９５ｂに備えられた支持孔９６ｂに貫通して後方固定スリット８１と第２の後方調節スリット８２ｂと第２の後方支持スリット８４ｂ、そして第２の後方調整リング９３ｂに備えられた支持孔９４ｂに順次挿入する。
【００４７】
第１の後方連結紐７１と第２の後方連結紐７９に連結される後方中間部７５は、結び目を通して第１の後方調節スリット８２ａおよび第２の後方調節スリット８２ｂと後方位置調節具８０の後端に結び目を通して固定される。
【００４８】
後方位置調節具８０は、第１の後方調節スリット８２ａと第１の後方支持スリット８４ａとの間に形成される第１の後方連結スリット８３ａと第２の後方調節スリット８２ｂと第２の後方支持スリット８４ｂとの間に形成される第２の後方連結スリット８３ｂをさらに有することができる。
【００４９】
このとき、第１の後方連結紐７１は、第１の後方調節スリット８２ａを通過して第１の後方連結スリット８３ａを経て、第１の後方支持スリット８４ａに順次挿入され、第２の後方連結紐７９は、第２の後方調節スリット８２ｂを通過して第２の後方連結スリット８３ｂを経て、第２の後方支持スリット８４ｂに順次挿入される。このとき、第１および第２の後方連結紐７１、７９は、それぞれのスリットに、上−下と下−上方向に交差して挿入される。
【００５０】
図９は、図１に示す楽器支持具に着用可能な補助連結紐を示す図である。図９に示すように、補助連結紐１２０は、第２の後方連結紐７０とほぼ類似する形状で補助位置調節具１３０に連結される。補助連結紐１２０は、第１および第２の補助連結紐１２１、１２９と、第１および第２の補助連結紐１２１、１２９の間に連結される補助中間部１２５を備えることができる。
【００５１】
補助位置調節具１３０は、第１および第２の前方補助スリット１３２ａ、１３２ｂと、第１および第２の後方補助スリット１３１ａ、１３１ｂが形成され、第１の補助リンク紐１２１は、第１の前方補助リング１１５ａに形成された支持孔１１６ａに挿入され、第１の前方補助リング１１５ａに固定される。また、第１の補助リンク紐１２１は、補助位置調節具１３０に形成された第１の前方補助スリット１３２ａと第１の後方補助スリット１３１ａに順次挿入され、第１の後方補助リング１１０ａに形成された支持孔１１１ａに挿入される。
【００５２】
第２の補助リンク紐１２９は、第２の前方補助リング１１５ｂに形成された支持孔１１６ｂに挿入され、第２の前方補助リング１１５ｂに固定される。また、第２の補助リンク紐１２９は、補助位置調節具１３０に形成された第２の前方補助スリット１３２ｂと第２の後方補助スリット１３１ｂに順次挿入され、第２の後方補助リング１１０ｂに形成された支持孔１１１ｂに挿入される。
【００５３】
第１の補助リンク紐１２１と第２の補助リンク紐１２９に連結される補助中間部１２５は、結び目を通して第１の後方補助スリット１３１ａおよび第２の後方補助スリット１３１ｂと補助位置調節具１３０の後段に結び目を通して固定される。
【００５４】
図１０および図１１は、本考案の一実施例に係る楽器支持具を着用した模様を示す図である。図１０および図１１に示すように、楽器支持具は第１および第２のパッド１０、２０の前端部および後端部にそれぞれ連結された前方連結紐３０と後方連結紐７０に連結され、演奏者が楽器支持具１００を着用した場合、第１および第２のパッド１０、２０の後端は、肩甲骨（ｓｃａｐｕｌａ）に位置し、第１および第２のパッド１０、２０の前段は鎖骨（ｃｌａｖｉｃｌｅ）の下部に置かれる。
【００５５】
前述したように、第１および第２のパッド１０、２０は、演奏者の肩および背中を覆うように環状に曲げ（ｂｅｎｄｉｎｇ）可能な第１および第２のフレーム１２，２２をそれぞれ備えることにより、演奏者の身体的条件に関係なく、快適な着用感を提供することができる。
【００５６】
演奏者が楽器演奏時、楽器の移動または演奏者の激しい動きが可能になるよう前方連結紐３０は、なめらかな外周面を有することが望ましい。前方連結紐３０の外周面が滑らかな外周面を有することにより、前方位置調節具５０との摩擦力を最小化し、比較的小さな力でも前方位置調節具５０が前方連結紐３０に沿って移動可能なため、演奏者は自然な演奏が可能で、活動性に制限を受けない。
【００５７】
一方、後方連結紐７０は、前方連結紐３０よりも外周面が粗く形成されているチェーン型または結び目化して使用することが望ましい。後方連結紐７０は、演奏者の体型に適合するように長さ調節を維持することにより、演奏者の動きに応じて、後方位置調節具８０が後方連結紐７０に沿って容易に移動することを制限することができる。もちろん、強い力で第１および第２のパッド１０、２０を反対方向に引っ張った場合、後方位置調節具８０は、後方連結紐７０に沿って移動される。
【００５８】
第１および第２の後方補助リング１１０ａ、１１０ｂは、第１および第２の後方メインリング９５ａ、９５ｂに固定され、第１および第２の前方補助リング１１５ａ、１１５ｂは、第１および第２の前方リング９０ａ、９０ｂに固定することができる。つまり、第１および第２の後方補助リング１１０ａ、１１０ｂを第１および第２の後方メインリング９５ａ、９５ｂに固定された状態で、第１の前方補助リング１１５ａを演奏者の左脇を通過して第１の前方リング９０ａに固定して、第２の前方補助リング１１５ｂを演奏者の右脇を通過して第２の前方リング９０ｂに固定することにより、長時間の演奏過程で、第１および第２のパッド１０、２０が胸の中央部に偏る現象を防止することができる。一方、第１および第２の前方補助リング１１５ａ、１１５ｂは、演奏者のベルトまたはベルトの縫裁線に固定することができる。
【００５９】
前記のように説明した楽器支持具は、前記説明された実施例の構成が限定されるように適用され得るものではなく、前記の実施例は、様々な変形が行われるように、各実施例の全部または一部が選択的に組み合わされて構成されることができる。
【符号の説明】
【００６０】
１０：第１のパッド              １２：第１のフレーム
１４：第１の外被                ２０：第２のパッド
３０：前方連結紐                ４０：固定具
５０：前方位置調節具            ６０：ねじれ防止金具
７０：後方連結紐                ８０：後方位置調節具
１００：楽器支持具              １３０：補助位置調節具
【図１】
0003203539.tif 000003
【図２】
0003203539.tif 000004
【図３】
0003203539.tif 000005
【図４】
0003203539.tif 000006
【図５】
0003203539.tif 000007
【図６】
0003203539.tif 000008
【図７】
0003203539.tif 000009
【図８】
0003203539.tif 000010
【図９】
0003203539.tif 000011
【図１０】
0003203539.tif 000012
【図１１】
0003203539.tif 000013